(57)【要約】【課題】ユーザの利便性を向上させる。【解決手段】ネットワークに接続されている１又は複数の表示装置を検索する検索手段と、前記ネットワークを介して情報処理装置からデータの出力要求を受け付けた場合に、前記検索手段により得られた前記表示装置の利用状況を通知する通知手段と、前記通知手段により通知された前記表示装置のうち、前記情報処理装置から指定された前記表示装置に前記データを出力させる出力制御手段とを有することで上記課題を解決する。【選択図】図３
2016177088.tif 000002
【特許請求の範囲】
【請求項１】
ネットワークに接続されている１又は複数の表示装置を検索する検索手段と、
前記ネットワークを介して情報処理装置からデータの出力要求を受け付けた場合に、前記検索手段により得られた前記表示装置の利用状況を通知する通知手段と、
前記通知手段により通知された前記表示装置のうち、前記情報処理装置から指定された前記表示装置に前記データを出力させる出力制御手段とを有することを表示制御装置。
【請求項２】
起動後又は定期的に前記表示装置の利用状況を監視する利用状況監視手段を有することを特徴とする請求項１に記載の表示制御装置。
【請求項３】
前記出力制御手段は、
前記情報処理装置から指定された複数の前記表示装置に、前記データを出力させることを特徴とする請求項１又は２に記載の表示制御装置。
【請求項４】
複数の前記情報処理装置からデータの出力要求を受け付けた場合に、受け付けたデータを合成又は切り替えて表示する連携管理手段を有することを特徴とする請求項１乃至３のいずれか一項に記載の表示制御装置。
【請求項５】
前記連携管理手段は、
前記情報処理装置から前記ネットワークに接続されている他の前記表示制御装置の追加の指定を受け付けた場合に、前記表示装置に出力している前記データを前記他の表示制御装置と共有することを特徴とする請求項４に記載の表示制御装置。
【請求項６】
前記ネットワークに接続されている表示装置の一覧情報から前記表示装置を選択させる画面を生成する画面生成手段を有することを特徴とする請求項１乃至５のいずれか一項に記載の表示制御装置。
【請求項７】
データを表示する表示装置と、該表示装置にデータを出力する情報処理装置と、前記表示装置と前記情報処理装置とを中継する表示制御装置とがネットワークを介して接続された表示制御システムにおいて、
前記表示制御装置は、
前記ネットワークに接続されている１又は複数の表示装置を検索する検索手段と、
前記ネットワークを介して前記情報処理装置からデータの出力要求を受け付けた場合に、前記検索手段により得られた前記表示装置の利用状況を通知する通知手段と、
前記通知手段により通知された前記表示装置のうち、前記情報処理装置から指定された前記表示装置に前記データを出力させる出力制御手段とを有することを特徴とする表示制御システム。
【請求項８】
データを表示する表示装置と、該表示装置にデータを出力する情報処理装置と、前記表示装置と前記情報処理装置とを中継する表示制御装置とがネットワークを介して接続された表示制御システムで実行されるグラフィカルユーザインターフェースにおいて、
前記表示制御装置から、前記表示装置で表示される前記データを共有する情報処理装置のユーザ情報を取得する連携管理手段と、
前記連携管理手段により得られる情報処理装置のユーザ情報を、前記データとともに表示する画面を生成する画面生成手段とを有するグラフィカルユーザインターフェース。
【請求項９】
コンピュータを、
請求項１乃至６のいずれか一項に記載の表示制御装置が有する各手段として機能させるための表示制御プログラム。
【発明の詳細な説明】
【技術分野】
【０００１】
本願は、表示制御装置、表示制御システム、グラフィカルユーザインターフェース及び表示制御プログラムに関する。
【背景技術】
【０００２】
従来のテレビ会議システムやＷｅｂ会議システムでは、複数の参加者が会議資料等のデータを同時に閲覧するため、プロジェクタ等の投影装置を利用する場合には、投影装置専用のケーブル（例えばＲＧＢケーブル）を用いる必要があった。また、投影装置に投影する会議資料等の各種データを、ＰＣ（Ｐｅｒｓｏｎａｌ  Ｃｏｍｐｕｔｅｒ）等から取得する場合には、ＰＣ専用のケーブル（例えばＵＳＢ（Ｕｎｉｖｅｒｓａｌ  Ｓｅｒｉａｌ  Ｂｕｓ）ケーブル）を用いる必要があった。
【０００３】
なお、テレビ会議システムに設けられたユーザインターフェースから複数の表示装置に対して同じ内容を投影させる手法がある（例えば、特許文献１参照）。
【発明の概要】
【発明が解決しようとする課題】
【０００４】
しかしながら、会議資料等のデータを投影装置等に投影しながら会議を行う場合には、上述したように多数のケーブルが必要となるため、設置に手間がかかったり、ケーブルによって会議机上の空きスペースが狭くなったりする。また、ケーブルの故障や紛失により会議が開催できなくなる場合も生じて、ユーザの利便性が悪いという問題があった。
【０００５】
一つの側面では、本発明は、ユーザの利便性を向上させることを目的とする。
【課題を解決するための手段】
【０００６】
一態様の表示制御装置によれば、ネットワークに接続されている１又は複数の表示装置を検索する検索手段と、前記ネットワークを介して情報処理装置からデータの出力要求を受け付けた場合に、前記検索手段により得られた前記表示装置の利用状況を通知する通知手段と、前記通知手段により通知された前記表示装置のうち、前記情報処理装置から指定された前記表示装置に前記データを出力させる出力制御手段とを有する。
【発明の効果】
【０００７】
ユーザの利便性を向上させることが可能となる。
【図面の簡単な説明】
【０００８】
【図１】本実施形態における表示制御システムの概略構成の一例を示す図である。
【図２】本実施形態における画像共有装置のハードウェア構成の一例を示す図である。
【図３】本実施形態における画像共有装置の機能構成の一例を示す図である。
【図４】本実施形態における画像情報保管装置のハードウェア構成の一例を示す図である。
【図５】本実施形態における画像情報保管装置の機能構成の一例を示す図である。
【図６】表示処理の第１の実施例を示すシーケンスである。
【図７】表示処理の第２の実施例を示すシーケンスである。
【図８】表示処理の第３の実施例を示すシーケンスである。
【図９】表示処理の第４の実施例を示すシーケンスである。
【図１０】表示処理の第５の実施例を示すシーケンスである。
【図１１】画像情報保管装置に表示するＧＵＩの一例を示す図である。
【図１２】画像投影装置に表示するＧＵＩの一例を示す図である。
【発明を実施するための形態】
【０００９】
以下、実施の形態について詳細に説明する。
【００１０】
＜表示制御示システム：概略構成＞
図１は、表示制御システムの概略構成の一例を示す図である。図１に示す表示制御システム１は、一又は複数の表示装置の一例としての画像投影装置１０（図１の例では、画像投影装置１０−１〜１０−２）と、一又は複数の表示制御装置の一例としての画像共有装置２０（図１の例では、画像共有装置２０−１〜２０−２）と、一又は複数の情報処理装置の一例としての画像情報保管装置３０（図１の例では、画像情報保管装置３０−１〜３０−２）とを有する。
【００１１】
図１の例では、画像共有装置２０と画像投影装置１０とは、例えばネットワークＮ１を介して接続されている。画像共有装置２０同士は、例えばネットワークＮ２を介して接続されている。画像共有装置２０と画像情報保管装置３０とは、例えばネットワークＮ３を介して接続されている。図１に示すネットワークＮ１〜Ｎ３は、例えばインターネット等の通信ネットワークであるがこれに限定されるものではない。
【００１２】
画像投影装置１０は、画像共有装置２０から得られる画像データ（例えば会議資料）等を表示（投影）する表示装置の一例である。画像投影装置１０は、例えばプロジェクタであるがこれに限定されるものではなく、例えばモニタやテレビ、電子黒板等であっても良い。
【００１３】
画像共有装置２０は、画像投影装置１０と、画像投影装置１０に表示する画像データの供給元となる画像情報保管装置３０との間を中継する。例えば、画像共有装置２０は、起動するとネットワークＮ１を介して利用可能な画像投影装置１０を検索し、ネットワークＮ３を介して画像情報保管装置３０に画像投影装置１０の利用状況を通知する。また、画像共有装置２０は、画像情報保管装置３０から画像データを出力する画像投影装置１０が指定されると、指定された画像投影装置１０に画像データを出力させる。
【００１４】
画像情報保管装置３０は、画像共有装置２０を経由して画像投影装置１０を指定する。例えば、画像情報保管装置３０は、起動するとネットワークＮ３を介して利用可能な画像共有装置２０を検索し、画像共有装置２０から取得した画像投影装置１０のうち、画像データを出力する画像投影装置１０を指定し、画像共有装置２０に画像データの出力要求を行う。画像情報保管装置３０は、例えばＰＣであるが、これに限定されるものではなく、スマートフォンやタブレット端末等の通信端末であっても良い。
【００１５】
上述したように、図１に示す表示制御システム１では、画像情報保管装置３０が、ネットワーク検索により得られる画像共有装置２０や画像投影装置１０の利用状況を取得して、画像共有装置２０を介して画像投影装置１０を指定する。これにより、画像共有装置２０と画像投影装置１０との間の専用ケーブルや、画像共有装置２０と画像情報保管装置３０との間の専用ケーブルの数を減らし、画像投影装置１０を利用して画像データを表示することが可能となるため、ユーザの利便性を向上させることが可能となる。
【００１６】
なお、図１に示す表示制御システム１は、各装置を２つずつ用いた例を示しているがこれに限定されるものではなく、３つ以上の装置をそれぞれ用いても良く、各装置の数は同一でなくても良い。また、表示制御システム１は、例えばＷｅｂ会議システム等があるがこれに限定されるものではなく、例えばＷｅｂ学習システムや、電話会議システム等でも良い。
【００１７】
＜画像共有装置２０：ハードウェア構成例＞
図２は、画像共有装置のハードウェア構成の一例を示す図である。図２の例では、画像共有装置２０は、装置全体の動作を制御するＣＰＵ（Ｃｅｎｔｒａｌ  Ｐｒｏｃｅｓｓｉｎｇ  Ｕｎｉｔ）４１、本実施形態における表示制御プログラムを記憶したＲＯＭ（Ｒｅａｄ  Ｏｎｌｙ  Ｍｅｍｏｒｙ）４２、ＣＰＵ４１のワークエリアとして使用されるＲＡＭ（Ｒａｎｄｏｍ  Ａｃｃｅｓｓ  Ｍｅｍｏｒｙ）４３、画像データや音声データ等の各種データを記憶するフラッシュメモリ４４、ＣＰＵ４１の制御によりフラッシュメモリ４４に対する各種データの読み出し又は書き込みを制御するＳＳＤ（Ｓｏｌｉｄ  Ｓｔａｔｅ  Ｄｒｉｖｅ）４５、記録メディア４６に対するデータの読み出し又は書き込み（記憶）を制御するメディアドライブ４７、操作ボタン４８、電源のＯＮ／ＯＦＦを切り換えるための電源スイッチ４９、ネットワークＮ１〜Ｎ３を利用してデータ伝送をするためのネットワークＩ／Ｆ６１を備えている。なお、ＳＳＤ４５は、ＨＤＤ（Ｈａｒｄ  Ｄｉｓｋ  Ｄｒｉｖｅ）であっても良い。
【００１８】
また、画像共有装置２０は、ＣＰＵ４１の制御により被写体（例えば、会議の参加者等）を撮像して画像データを得る内蔵型のカメラ６２、カメラ６２の駆動を制御する撮像素子Ｉ／Ｆ６３、音声を入力する内蔵型のマイク６４、音声を出力する内蔵型のスピーカ６５、ＣＰＵ４１の制御によりマイク６４及びスピーカ６５との間で音声信号の入出力を処理する音声入出力Ｉ／Ｆ６６、ＣＰＵ４１の制御により外付けのディスプレイに画像データを伝送するディスプレイＩ／Ｆ６７、各種の外部機器を接続するための外部機器接続Ｉ／Ｆ６８、画像共有装置２０の各種機能の異常を知らせるアラームランプ６９、及び各構成要素を電気的に接続するためのアドレスバスやデータバス等のバスライン５０を備えている。
【００１９】
ネットワークＩ／Ｆ６１は、ネットワークＮ１を介して複数の画像投影装置１０と接続する。これらは、ＩＰアドレス等のアドレス情報等により管理される。
【００２０】
カメラ６２は、レンズや光を電荷に変換して被写体の画像（映像）を電子化する固体撮像素子を含む。固体撮像素子には、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）や、ＣＣＤ（Ｃｈａｒｇｅ  Ｃｏｕｐｌｅｄ  Ｄｅｖｉｃｅ）等が用いられる。
【００２１】
外部機器接続Ｉ／Ｆ６８には、ＵＳＢケーブル等によって、外付カメラ、外付マイク、及び外付スピーカ等の外部機器がそれぞれ電気的に接続可能である。外付カメラが接続された場合には、ＣＰＵ４１の制御により内蔵型のカメラ６２に優先して外付カメラが駆動する。外付マイクが接続された場合や、外付スピーカが接続された場合には、ＣＰＵ４１の制御により内蔵型のマイク６４や内蔵型のスピーカ６５に優先して、外付マイクや外付スピーカが駆動する。
【００２２】
記録メディア４６は、画像共有装置２０に対して着脱自在な構成となっている。また、ＣＰＵ４１の制御によりデータの読み出し又は書き込みを行う不揮発性メモリであれば、フラッシュメモリ４４に限らず、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）等を用いても良い。
【００２３】
なお、表示制御プログラムは、インストール可能な形式又は実行可能な形式のファイルによって、コンピュータで読み取り可能な記録媒体（記録メディア４６等）に記録されても良い。また、表示制御プログラムは、フラッシュメモリ４４の代わりにＲＯＭ４２に記憶させても良い。
【００２４】
＜画像共有装置２０：機能構成例＞
次に、画像共有装置２０の機能構成について図を用いて説明する。図３は、画像共有装置の機能構成の一例を示す図である。図３の例では、画像共有装置２０は、入力部７１と、出力制御部７２と、記憶部７３と、検索部７４と、利用状況監視部７５と、連携管理部７６と、一覧情報生成部７７と、画面生成部７８と、ネットワーク接続部７９と、制御部８０とを有する。
【００２５】
入力部７１は、画像共有装置２０を利用するユーザ等から各種指示の入力を受け付ける。出力制御部７２は、画像情報保管装置３０から指定された画像投影装置１０に画像データを出力させたり、指定された複数の画像投影装置１０に画像データを出力させたりする。
【００２６】
記憶部７３は、本実施形態における表示処理に必要な各種データを記憶する。記憶部７３は、例えば画像投影装置１０や他の画像共有装置２０、画像情報保管装置３０等と接続するためのアドレス情報（例えば、ＩＰアドレス）や、本実施形態における表示処理を実行するための各種設定情報を記憶する。
【００２７】
また、記憶部７３は、画像情報保管装置３０から得られた画像データ等を記憶するが、記憶部７３に記憶するデータは、これに限定されるものではない。記憶部７３は、必要に応じて蓄積されている各種データを読み出したり、書き込んだりすることが可能である。
【００２８】
検索部７４は、起動後又は定期的にネットワークＮ１上に存在する画像投影装置１０を検索する。検索部７４は、例えば画像投影装置１０を検索すると、検索結果として電源がＯＮ状態の画像投影装置１０の識別情報等を取得する。また、検索部７４は、ネットワークＮ２上に存在する他の画像共有装置２０や、ネットワークＮ３上に存在する画像情報保管装置３０等を検索しても良い。
【００２９】
利用状況監視部７５は、検索部７４による検索結果に対する画像投影装置１０の現時点での利用状況を監視し、画像情報保管装置３０に通知する。利用状況監視部７５は、例えば画像投影装置１０からの通知に基づき、画像投影装置１０のそれぞれについて投影している状態（利用不可能状態）か投影する準備ができている状態（利用可能状態）等を監視するがこれに限定されるものではない。
【００３０】
連携管理部７６は、ネットワークＮ１を介して接続されている画像投影装置１０や、ネットワークＮ３を介して接続されている画像情報保管装置３０等における連携を管理する。連携管理部７６は、例えば、複数の画像情報保管装置３０から同一の画像投影装置１０に対する画像データの出力要求を受け付けた場合には、各画像情報保管装置３０から受け付けた画像データを合成したり切り替えたりして表示させる。
【００３１】
また、連携管理部７６は、画像情報保管装置３０から他の画像共有装置２０を利用するための追加指定を受け付けた場合には、他の画像共有装置２０と画像データを共有するように管理する。また、連携管理部７６は、他の画像共有装置２０と連携して、他の画像共有装置２０を利用している画像情報保管装置３０のユーザ情報を取得して管理しても良い。
【００３２】
一覧情報生成部７７は、検索部７４や利用状況監視部７５から得られた情報に基づき、画像投影装置１０の一覧情報（一覧リスト）等を生成して、画像情報保管装置３０に通知する。
【００３３】
画面生成部７８は、一覧情報生成部７７により生成された一覧情報等を、画像情報保管装置３０に送信するグラフィカルユーザインターフェース（ＧＵＩ）画面を生成する。例えば、画面生成部７８は、一覧情報生成部７７により得られる一覧情報から画像投影装置１０を選択させる画面を生成し、画像情報保管装置３０に送信する。
【００３４】
また、画面生成部７８は、画像投影装置１０に画像データを表示する際、画像データを共有するユーザ情報（参加者情報）を連携管理部７６から取得し、画像データとともに表示する画面を生成し、例えば画像投影装置１０や画像情報保管装置３０に送信する。
【００３５】
ネットワーク接続部７９は、ネットワークＮ１〜Ｎ３を介して、画像投影装置１０や他の画像共有装置２０、画像情報保管装置３０等へ接続する通信インターフェースである。
【００３６】
制御部８０は、画像共有装置２０の構成全体を制御する。制御部８０は、表示処理の開始、終了の制御、起動時の制御、エラー発生時の制御等を行う。なお、制御部８０による制御内容については、これに限定されるものではない。
【００３７】
＜画像情報保管装置３０：ハードウェア構成例＞
次に、画像情報保管装置３０のハードウェア構成について図を用いて説明する。図４は、画像情報保管装置のハードウェア構成の一例を示す図である。
【００３８】
図４の例では、画像情報保管装置３０は、装置全体の動作を制御するＣＰＵ８１、本実施形態における表示制御プログラムを記憶したＲＯＭ８２、ＣＰＵ８１のワークエリアとして使用されるＲＡＭ８３、各種データを記憶するＨＤ（Ｈａｒｄ  Ｄｉｓｋ）８４、ＣＰＵ８１の制御によりＨＤ８４に対する各種データの読み出し又は書き込みを制御するＨＤＤ８５、フラッシュメモリ等の記録メディア８６に対するデータの読み出し又は書き込み（記憶）を制御するメディアドライブ８７、カーソル、メニュー、ウィンドウ、文字、又は画像等の各種情報を表示するディスプレイ８８、ネットワークＮ３を利用してデータ伝送をするためのネットワークＩ／Ｆ８９、文字、数値、各種指示等を入力するための複数のキーを備えたキーーボード９１、各種指示の選択や実行、処理対象の選択、カーソルの移動等を行うマウス９２、着脱可能な記録媒体の一例としてのＣＤ−ＲＯＭ（Ｃｏｍｐａｃｔ  Ｄｉｓｃ  Ｒｅａｄ  Ｏｎｌｙ  Ｍｅｍｏｒｙ）９３に対するデータの読み出し又は書き込みを制御するＣＤ−ＲＯＭドライブ９４、及び、各構成要素を電気的に接続するためのアドレスバスやデータバス等のバスライン９０を備えている。
【００３９】
なお、表示制御プログラムは、インストール可能な形式又は実行可能な形式のファイルで記録メディア８６やＣＤ−ＲＯＭ９３等のコンピュータで読み取り可能な記録媒体に記録しても良い。また、記録媒体の他の例として、ＣＤ−Ｒ（Ｃｏｍｐａｃｔ  Ｄｉｓｃ  Ｒｅｃｏｒｄａｂｌｅ）、ＤＶＤ（Ｄｉｇｉｔａｌ  Ｖｅｒｓａｔｉｌｅ  Ｄｉｓｋ）、ブルーレイディスク等のコンピュータで読み取り可能な記録媒体に記録して提供するように構成しても良い。
【００４０】
＜画像情報保管装置３０：機能構成例＞
次に、画像情報保管装置３０の機能構成について図を用いて説明する。図５は、本実施形態における画像情報保管装置の機能構成の一例を示す図である。図５に示す画像情報保管装置３０は、入力部１０１と、出力部１０２と、記憶部１０３と、検索部１０４と、画像管理部１０５と、ネットワーク接続部１０６と、制御部１０７とを有する。
【００４１】
入力部１０１は、画像情報保管装置３０を利用するユーザ等から各種指示の入力を受け付ける。入力部１０１は、例えばキーボードやマウス等のポインティングデバイス等からなる。出力部１０２は、入力部１０１により入力された内容や、入力内容に基づいて実行された内容等の表示や出力を行う。出力部１０２は、ディスプレイやスピーカ等からなる。なお、入力部１０１と出力部１０２とは、例えばタッチパネル等のように一体型の入出力部であっても良い。
【００４２】
記憶部１０３は、本実施形態における表示処理に必要な各種データを記憶する。例えば記憶部１０３は、画像共有装置２０等と接続するためのアドレス情報（例えば、ＩＰアドレス）や、本実施形態における表示処理を実行するための各種設定情報、画像投影装置１０に出力する画像データ（会議資料等）を記憶するが、これに限定されるものではない。なお、記憶部１０３は、必要に応じて蓄積されている各種データを読み出したり、書き込んだりすることができる。
【００４３】
検索部１０４は、起動後又は所定のタイミング（例えば、画像共有指示時）にネットワークＮ３条に存在する画像共有装置２０を検索する。例えば、検索部１０４は、画像共有装置２０を検索すると、検索結果として電源がＯＮ状態の画像共有装置２０の識別情報や利用状況（利用可能か否か）に関する情報等を取得する。また、検索部１０４は、各画像共有装置２０から得られる利用状況を、画像共有装置２０の一覧情報（一覧リスト）として出力部１０２に表示させても良い。
【００４４】
画像管理部１０５は、共有可能な画像データ（例えば、電子会議等で閲覧される資料等）を管理する。画像管理部１０５は、画像共有装置２０から利用可能な画像投影装置１０の一覧リストや画像投影装置１０に投影されている画面が転送されると、出力部１０２に表示させる。
【００４５】
ネットワーク接続部１０６は、ネットワークＮ３を介して、画像共有装置２０等へ接続する通信インターフェースである。
【００４６】
制御部１０７は、画像共有装置２０の構成全体を制御する。制御部１０７は、表示処理の開始、終了の制御、起動時の制御、エラー発生時の制御等を行う。なお、制御部１０７による制御内容については、これに限定されるものではない。
【００４７】
＜表示制御システム１における表示処理の一例＞
次に、本実施形態の表示制御システム１における表示処理の各実施例について説明する。
【００４８】
＜表示処理の第１の実施例＞
図６は、表示処理の第１の実施例を示すシーケンスである。図６に示すシーケンスは、２つの画像投影装置１０−１〜１０−２、画像共有装置２０−１、画像情報保管装置３０−１により実行される。
【００４９】
図６に示すように、画像共有装置２０−１は、画像投影装置１０−１が起動（電源ＯＮ）した後（Ｓ１０）、起動（電源ＯＮ）すると（Ｓ１１）、ネットワークＮ１を介して利用可能な画像投影装置１０を検索する（Ｓ１２）。ここで、画像投影装置１０−１は、起動している状態であるため、画像共有装置２０−１に利用可能であることを通知する（Ｓ１３）。なお、この時点では、画像投影装置１０−２は、起動していないため何も処理を行わない。
【００５０】
上述したＳ１３の処理は、例えば所定時間間隔で定期的に実行されても良い。また、画像共有装置２０−１は、画像投影装置１０−２が起動（電源ＯＮ）した後（Ｓ１４）、ネットワークＮ１を介して利用可能な画像投影装置１０を検索すると（Ｓ１５）、画像投影装置１０−２から利用可能であることが通知される（Ｓ１６）。
【００５１】
なお、上述したＳ１２〜Ｓ１６の処理では、画像共有装置２０−１は、ネットワークＮ１を介して画像投影装置１０−１〜１０−２を自動的に検索しているが、予め検索対象の画像投影装置１０を事前登録しておいても良い。
【００５２】
画像情報保管装置３０−１は、起動（電源ＯＮ）すると（Ｓ１７）、ネットワークＮ３を介して利用可能な画像共有装置２０を検索する（Ｓ１８）。画像共有装置２０−１は、利用可能であることを画像情報保管装置３０−１に通知する（Ｓ１９）。なお、画像情報保管装置３０−１は、ネットワークＮ３を介して画像共有装置２０−１を自動的に検索しているが、予め検索対象の画像共有装置２０を事前登録しておいても良い。
【００５３】
画像情報保管装置３０−１は、画像を共有する場合に、ネットワークＮ３を介して画像共有開始を画像共有装置２０−１に指示する（Ｓ２０）。画像共有装置２０−１は、画像情報保管装置３０−１からの指示を受け付けると、現時点で利用可能な画像投影装置リスト（一覧リスト）を生成し、画像情報保管装置３０−１に通知する（Ｓ２１）。
【００５４】
画像情報保管装置３０−１は、一覧リストに含まれる一又は複数の画像投影装置１０の中から利用したい画像投影装置１０−１を指定すると、投影開始指示とともに、画像投影装置１０−１の識別情報と共有する画像データ等を送信する（Ｓ２２）。
【００５５】
画像共有装置２０−１は、画像情報保管装置３０−１から投影開始指示を受け付けると、画像投影装置１０−１に共有する画像データ等を送信して、画像投影装置１０−１に投影を開始させる（Ｓ２３）。これにより、画像投影装置１０−１は、画像共有装置２０−１から取得した画像データを投影する。
【００５６】
上述したように、第１の実施例では、画像情報保管装置３０は、画像共有装置２０に対して、利用したい画像投影装置１０を指定して投影開始を要求する。なお、第１の実施例では、画像共有装置２０の起動後すぐに画像投影装置１０の検索を行っているが、例えば画像情報保管装置３０から画像共有開始が通知されたタイミングで、画像投影装置１０の検索を行っても良い。
【００５７】
また、第１の実施例では、画像共有装置２０と画像投影装置１０とをＲＧＢケーブル等で１対１に対応させる必要がないため、利用するケーブル数の少ない会議システムを構築することが可能となる。また、利用したい画像投影装置１０を指定することができるため、従来は選択できなかった遠隔地に配置された画像投影装置１０を利用することも可能となる。
【００５８】
また、天井に配置された画像投影装置１０が配置された会議室であっても、ケーブルを利用することなく会議を行うことが可能となり、会議の開催場所の選択肢を広げることが可能となる。また、画像投影装置１０を予め登録しておく必要がないため、画像共有装置２０を例えば別の建物等に持ち込んで利用することも可能となる。
【００５９】
また、画像情報保管部３０に対して画像投影装置１０や画像共有装置２０の利用状況を通知することで、投影中の画像投影装置１０や会議中の画像共有装置２０に対するアクセスを防止することが可能となる。したがって、第１の実施例によれば、ユーザの利便性を向上させることが可能となる。
【００６０】
＜表示処理の第２の実施例＞
図７は、表示処理の第２の実施例を示すシーケンスである。図７の例では、画像情報保管装置３０に対して画像投影装置１０や画像共有装置２０の利用状況を通知する例を説明する。なお、図７に示すシーケンスは、２つの画像投影装置１０−１〜１０−２、２つの画像共有装置２０−１〜２０−２、２つの画像情報保管装置３０−１〜３０−２により実行される。
【００６１】
図７に示すように、画像共有装置２０−１は、画像投影装置１０−１が起動（電源ＯＮ）した後（Ｓ３１）、起動（電源ＯＮ）すると（Ｓ３２）、ネットワークＮ１を介して利用可能な画像投影装置１０を検索する（Ｓ３３）。画像投影装置１０−１は、起動している状態であるため、画像共有装置２０−１に利用可能であることを通知する（Ｓ３４）。
【００６２】
また、画像共有装置２０−１は、画像投影装置１０−２が起動（電源ＯＮ）した後（Ｓ３５）、ネットワークＮ１を介して利用可能な画像投影装置１０を検索すると（Ｓ３６）、画像投影装置１０−２から利用可能であるとの通知を受け付ける（Ｓ３７）。
【００６３】
また、画像共有装置２０−２は、起動（電源ＯＮ）して（Ｓ３８）、ネットワークＮ１を介して利用可能な画像投影装置１０を検索すると（Ｓ３９）、画像投影装置１０−１から利用可能であるとの通知を受け付ける（Ｓ４０）。なお、図７の例では、画像共有装置２０−２は、画像投影装置１０−２から利用可能であるとの通知を受けていないが、これは、画像共有装置２０−１と、画像共有装置２０−２とが異なる検索条件であり、画像共有装置２０−２の検索条件に、画像投影装置１０−２が該当しなかったことを意味する。
【００６４】
次に、画像情報保管装置３０−１は、起動（電源ＯＮ）して（Ｓ４１）、ネットワークＮ３を介して利用可能な画像共有装置２０を検索すると（Ｓ４２）、画像共有装置２０−１から利用可能であるとの通知を受け付ける（Ｓ４３）。また同様に、画像情報保管装置３０−１は、ネットワーク３を介して利用可能な画像共有装置２０を検索すると（Ｓ４４）、画像共有装置２０−２から利用可能であるとの通知を受け付ける（Ｓ４５）。
【００６５】
画像情報保管装置３０−１は、自身が利用したい画像共有装置２０−１に対して、画像共有開始を指示する（Ｓ４６）。この指示を受けた画像共有装置２０−１は、画像情報保管装置３０−１に対して、利用可能な画像投影装置リスト（一覧リスト）を通知する（Ｓ４７）。画像情報保管装置３０−１は、一覧リストから利用したい画像投影装置１０−１を指定すると、投影開始指示とともに、画像投影装置１０−１の識別情報と共有する画像データ等を画像共有装置２０−１に送信する（Ｓ４８）。
【００６６】
画像共有装置２０−１は、画像情報保管装置３０−１から投影開始指示を受け付けると、画像投影装置１０−１に共有する画像データ等を送信して、画像投影装置１０−１に投影を開始させる（Ｓ４９）。
【００６７】
画像投影装置１０−１は、投影を開始すると、Ｓ４０の処理で利用可能と通知していた画像共有装置２０−２に対して利用不可能であることを通知する（Ｓ５０）。
【００６８】
次に、画像情報保管装置３０−２は、起動（電源ＯＮ）して（Ｓ５１）、ネットワークＮ３を介して利用可能な画像共有装置２０−１を検索すると（Ｓ５２）、画像共有装置２０−１から利用中でことが通知される（Ｓ５３）。また、画像情報保管装置３０−２は、ネットワークＮ３を介して利用可能な画像共有装置２０−２を検索すると（Ｓ５４）、画像共有装置２０−２から利用可能であるとの通知を受け付ける（Ｓ５５）。
【００６９】
画像情報保管装置３０−２は、画像共有装置２０−２に対して画像共有開始を指示すると（Ｓ５６）、画像共有装置２０−２から、利用可能な画像投影装置リスト（一覧リスト）（画像投影装置１０−１は既に利用中であるため利用不可）が通知される（Ｓ５７）。
【００７０】
ここで、画像情報保管装置３０−１は、投影終了を画像共有装置２０−１に通知すると（Ｓ５８）、画像共有装置２０−１は、画像投影装置１０−１に投影終了を通知する（Ｓ５９）。これにより、画像投影装置１０−１は、画像共有装置２０−２に利用可能であることを通知し（Ｓ６０）、画像共有装置２０−２は、利用可能な画像投影装置リストを更新して、画像情報保管装置３０−２に通知する（Ｓ６１）。
【００７１】
また、画像情報保管装置３０−１は、画像共有終了を画像共有装置２０−１に指示すると（Ｓ６２）、画像共有装置２０−１は、画像情報保管装置３０−２に利用可能であることを通知する（Ｓ６３）。
【００７２】
上述したように、第２の実施例では、画像共有装置２０は、画像情報保管装置３０から画像共有開始が指示された後、他の画像情報保管装置３０から新たに検索された場合、自身が利用中であると通知し、画像共有終了後には利用可能となったことを通知する。また、画像投影装置１０は、画像共有装置２０から投影開始が指示されると、他の画像共有装置２０に対して自身が利用不可能となったことを通知し、投影終了後には利用可能となったことを通知する。
【００７３】
このように、画像共有装置２０は、画像情報保管装置３０に対して自身の利用状況とともに、画像投影装置２０の利用状況を通知することで、投影を開始したい画像情報保管装置３０のユーザに対する利便性を向上させることが可能となる。
【００７４】
＜表示処理の第３の実施例＞
図８は、表示処理の第３の実施例を示すシーケンスである。図８の例では、複数の画像投影装置１０を利用する例を説明する。なお、図８に示すシーケンスは、２つの画像投影装置１０−１〜１０−２、２つの画像共有装置２０−１〜２０−２、画像情報保管装置３０−１により実行される。また、図８に示すＳ７１〜Ｓ９０の処理は、図７に示すＳ３１〜Ｓ５０の処理と同様の処理であるため、ここでの説明は省略する。
【００７５】
図８に示すように、画像情報保管装置３０−１は、Ｓ８８の処理で画像投影装置１０−１を指定して画像共有装置２０−１に投影開始を指示した後、更に画像投影装置１０−２を指定して画像共有装置２０−１に投影開始を指示する（Ｓ９１）。これにより、画像共有装置２０−１は、画像投影装置１０−２に投影を開始させる（Ｓ９２）。また、画像投影装置１０−２は、投影を開始すると、Ｓ８０の処理で利用可能と通知していた画像共有装置２０−２に利用不可能であることを通知する（Ｓ９３）。
【００７６】
上述したように、第３の実施例では、画像共有装置２０−１は、画像投影装置１０−１を利用して投影している場合に、他の画像投影装置１０−２に対する投影開始指示を受け付けると、画像投影装置１０−２に共有する画像データを送信して投影させる。これにより、例えば大きな会議室に複数の画像投影装置１０が設置されている場合でも、別々の会議室に複数の画像投影装置１０が設置されている場合でも、それぞれの画像投影装置１０に共有したい画像を投影することが可能となる。
【００７７】
なお、図８に示すシーケンスでは、画像投影装置１０−１と画像投影装置１０−２に対して異なるタイミングで投影開始を指示しているが、複数の画像投影装置１０を一度に指定して投影を開始しても良い。
【００７８】
＜表示処理の第４の実施例＞
図９は、表示処理の第４の実施例を示すシーケンスである。図９の例では、複数の画像情報保管装置３０から投影要求を受け付けた場合に、それぞれの画像情報保管装置３０から受け付けた画像データを合成して表示する例を説明する。
【００７９】
なお、図９に示すシーケンスは、２つの画像投影装置１０−１〜１０−２、２つの画像共有装置２０−１〜２０−２、２つの画像情報保管装置３０−１〜３０−２により実行される。また、図９に示すＳ１０１〜Ｓ１２１の処理は、図７に示すＳ３１〜Ｓ５１の処理と同様の処理であるため、ここでの説明は省略する。
【００８０】
図９に示すように、画像情報保管装置３０−２は、Ｓ１２１の処理で起動した後、画像共有装置２０−１に対して画像共有開始を指示し（Ｓ１２２）、画像共有装置２０−１から利用可能な画像投影装置リスト（一覧リスト）が通知される（Ｓ１２３）。
【００８１】
画像情報保管装置３０−２は、一覧リストから利用したい画像投影装置１０−１を指定して、投影開始指示とともに、画像投影装置１０−１の識別情報と共有する画像データを画像共有装置２０−１に送信する（Ｓ１２４）。
【００８２】
ここで、画像共有装置２０−１は、現時点で投影している画像情報保管装置３０−１から取得した画像データと、画像情報保管装置３０−２から取得した画像データとを合成する（Ｓ１２５）。なお、画像データの合成は、例えば複数の画面（２画面）に分割して同時に表示させても良く、例えば画像を切り替えるタブを設けて、それぞれの画像を切り替えて表示させても良い。画像共有装置２０−１は、合成した画像データを画像投影装置１０−１に送信して、画像投影装置１０−１に投影を開始させる（Ｓ１２６）。
【００８３】
上述したように、第４の実施例では、複数の画像情報保管装置３０から投影要求を受け付けた場合に、それぞれの画像情報保管装置３０から受け付けた画像データを合成して表示させる。これにより、例えば複数の資料を一度に表示することが可能となるため、会議を効率良く進行させ、ユーザの利便性を向上させることが可能となる。
【００８４】
＜表示処理の第５の実施例＞
図１０は、表示処理の第５の実施例を示すシーケンスである。図１０の例では、複数の画像共有装置２０を連携させる例を説明する。なお、図１０に示すシーケンスは、２つの画像投影装置１０−１〜１０−２、２つの画像共有装置２０−１〜２０−２、２つの画像情報保管装置３０−１〜３０−２により実行される。また、図１０に示すＳ１３１〜Ｓ１５１の処理は、図７に示すＳ３１〜Ｓ５０の処理と同様の処理であるため、ここでの説明は省略する。
【００８５】
図１０に示すように、画像情報保管装置３０−１は、Ｓ１５２の処理で画像情報保管装置３０−２が画像共有装置２０−２に対して画像共有開始を指示した後、画像共有装置２０−１に対して画像共有装置２０−２を追加して利用するよう指示する（Ｓ１５３）。画像共有装置２０−１は、画像共有装置２０−２に対して共有する画像データを転送すると（Ｓ１５４）、画像投影装置１０−２に共有する画像データを転送し、画像投影装置１０−２に投影を開始させる（Ｓ１５５）。
【００８６】
上述したように、第５の実施例では、画像共有装置２０を利用した会議の開催中に、画像情報保管装置３０から他の画像共有装置２０を追加して利用するように指示を受け付けると、画像共有装置２０の間で投影する画像データを共有させる。
【００８７】
このように、複数の画像共有装置２０を連携させることで、画像共有装置２０の負荷を分散させて低コストのハードウェア（ＨＷ）で画像共有装置２０を実現することが可能となる。また、画像共有装置２０の通信パスが限定されるため、遠隔地と安全に会議を行うことが可能となる。したがって、他の画像共有装置２０を利用している他の画像情報保管装置３０とも連携することが可能となる。
【００８８】
＜グラフィカルユーザインターフェース（ＧＵＩ）例＞
次に、本実施形態におけるＧＵＩ例について図を用いて説明する。図１１は、画像情報保管装置に表示するＧＵＩの一例を示す図である。図１１の例では、画像情報保管装置３０が起動時又は画像共有開始指示時に、画像共有装置２０を検索した結果を表示している。
【００８９】
図１１（Ａ）に示す画面１１１には、画像情報保管装置３０が検索部１０４により検索した画像共有装置２０のリストが表示されている。画像共有装置リストは、例えば画像共有装置名、接続情報（ＩＰアドレス等）、利用状況（ステータス）等を表示している。
【００９０】
なお、本実施形態では、予め画像情報保管装置３０に登録しておいた画像共有装置２０を表示しても良い。例えば登録済みの画像共有装置２０が利用できない場合には、図１１（Ａ）に示すように、ステータスに「利用不可」等を表示する。
【００９１】
また、電源ボタンのＯＮ／ＯＦＦ、ネットワーク接続状況等により、利用可能な画像共有装置２０の情報は変化するため、図１１（Ａ）に示す更新ボタンを押すことで最新の検索結果を表示しても良い。
【００９２】
また、図１１（Ａ）に示す「ステータス」で表示された項目ボタンを押すと、図１１（Ｂ）に示す画面１１２や図１１（Ｃ）に示す画面１１３のように、それぞれの画像共有装置２０が利用可能な画像投影装置１０の一覧リストが表示される。例えば画面１１２や画面１１３は、それぞれの画像共有装置２０が画面生成部７８により生成するＧＵＩである。また、画面１１２や画面１１３に示す一覧リストは、画像投影装置名、接続情報（ＩＰアドレス等）、利用状況（ステータス）等を表示している。一覧リストは、それぞれの画像共有装置２０が一覧情報生成部７７により生成する。
【００９３】
なお、画面１１２や画面１１３に表示される画像投影装置１０としては、例えばネットワークＮ１に接続される画像投影装置１０だけではなく、例えばＲＧＢケーブルにより接続された画像投影装置を選択することも可能である。
【００９４】
また、図１１の例では、画面１１２や画面１１３における画像投影装置名を選択することで、図１１（Ｄ）に示す画面１１４において画像投影装置１０を指定して投影開始を指示することが可能となる。
【００９５】
図１２は、画像投影装置に表示するＧＵＩの一例を示す図である。図１２の例では、画像共有装置２０が画像投影装置１０に転送するＧＵＩ（投影画面）を示している。
【００９６】
図１２（Ａ）に示す画面１２１は、画像投影装置１０によりスクリーンやホワイトボード、壁等に表示される。また、画像共有装置２０は、図１２に示すＧＵＩと同様のＧＵＩを、その画像共有装置２０を利用している画像情報保管装置３０にも送信することが可能である。したがって、画像情報保管装置３０は、画面１２１を介して遠隔で指示をすることが可能である。
【００９７】
図１２（Ａ）に示す画面１２１には、現在投影を行っている画像共有装置名と表示中の画像データ（投影データ）の他、現時点で画像を共有している画像共有装置一覧、画像共有装置２０を利用している画像情報保管装置３０のユーザ情報（例えば、会議参加者等）を表示している。
【００９８】
画面１２１に示す情報は、例えば画像共有装置２０が、ネットワークＮ２を介して他の画像共有装置２０と連携して取得したものである。なお、画像情報保管装置３０のユーザ情報は、画像共有装置２０と画像情報保管装置３０とが通信した際に、画像情報保管装置３０のアカウント（ログイン）情報等を交換することで入手することが可能である。
【００９９】
また、図１２（Ａ）の画面１２１において、画像共有装置２０の追加ボタンを押すことで、図１２（Ｂ）に示すように、利用可能な画像共有装置リストが画面１２２に表示される。画像共有装置リストは、上述したように画像情報保管装置３０により生成される。
【０１００】
ここで、画像情報保管装置３０は、図１２（Ｂ）に示す画面１２２の画像共有装置名ボタンを押すこと、図１２（Ｃ）の画面１２３を表示させて、例えば会議に追加したい画像共有装置２０を選択することが可能である。
【０１０１】
上述した実施形態によれば、ネットワークを介して共有画像の供給元となる画像情報保管装置から画像共有装置を経由して画像投影装置を指定することで、従来用いられていた画像共有装置と画像投影装置との間のケーブルを不要とすることが可能となる。また、画像情報保管装置と画像共有装置との間のケーブルを不要とすることが可能となる。また、画像共有装置と画像投影装置とをケーブルにより１対１で対応させる必要がなくなり、遠隔地や天井等に配置された画像投影装置を利用することも可能となる。これにより、ユーザの利便性を向上させることが可能となる。
【０１０２】
本発明は、具体的に開示された上記の実施形態に限定されるものではなく、特許請求の範囲から逸脱することなく、種々の変形や変更が可能である。
【符号の説明】
【０１０３】
１０  画像投影装置（表示装置の一例）
２０  画像共有装置（表示制御装置の一例）
３０  画像情報保管装置（情報処理装置の一例）
７１，１０１  入力部
７２  出力制御部（出力制御手段の一例）
７３，１０３  記憶部
７４  検索部（検索手段の一例）
７５  利用状況監視部（通知手段の一例、利用状況監視手段の一例）
７６  連携管理部（連携管理手段の一例）
７７  一覧情報生成部
７８  画面生成部（画面生成手段の一例）
７９，１０６  ネットワーク接続部
８０，１０７  制御部
１０２  出力部
１０４  検索部
１０５  画像管理部
【先行技術文献】
【特許文献】
【０１０４】
【特許文献１】特開２００３−０９１４９０号公報
【図１】
2016177088.tif 000003
【図２】
2016177088.tif 000004
【図３】
2016177088.tif 000005
【図４】
2016177088.tif 000006
【図５】
2016177088.tif 000007
【図６】
2016177088.tif 000008
【図７】
2016177088.tif 000009
【図８】
2016177088.tif 000010
【図９】
2016177088.tif 000011
【図１０】
2016177088.tif 000012
【図１１】
2016177088.tif 000013
【図１２】
2016177088.tif 000014